(57)【要約】【課題】葉野菜が多いレシピでも、蓋を開けることなくカッターの空回りを解消することができる電動調理器と、電動調理器のへら、を提供することを目的とする。【解決手段】容器２の開口部３を覆う蓋４の中央に設けた小開口部５に挿入され、かつ容器２の内壁に付着した材料を落とす先端形状が薄く扁平になっているへら６を有する電動調理器において、へら６の先端の扁平部７の一方の面にリブ８を設け、扁平部７の断面形状を略Ｔ字とすることにより、葉野菜を突き刺しに対する抵抗が増え、葉野菜を突き刺さずに済むので、葉野菜の押し込みや撹拌が可能になり、葉野菜がカッター１に当たり、カッター１の空回りを解消することができる。【選択図】図１
2014136046.tif 000002
【特許請求の範囲】
【請求項１】
容器の開口部を覆う蓋の中央に設けた小開口部に挿入され、かつ前記容器の内壁に付着した材料を落とす先端形状が扁平になっており、
前記へらの先端の扁平部の一方の面にリブを設け、前記扁平部の断面形状を略Ｔ字とした電動調理器のへら。
【請求項２】
前記扁平部の他方の面の先端に、前記内壁に付着した材料を掻き出すときに、前記容器とへらとの隙間からの材料の漏れ出しを低減するための第２のリブを設けた請求項１記載の電動調理器のへら。
【請求項３】
内部にカッターを搭載した容器と、当該容器の上部開口部分を覆う蓋と、を有する電動調理器であり、
前記蓋は、へらを挿入可能な開口部を有し、当該開口部はへらが挿入可能な十字穴である電動調理器。
【発明の詳細な説明】
【技術分野】
【０００１】
本発明は、主として野菜、果物等を粉砕して液体物と混合させることによりジュースをつくる、例えばミキサーなどの電動調理器と、この電動調理器で使用する撹拌用のへらに関するものである。
【背景技術】
【０００２】
従来のこの種の電動調理器で使用する撹拌用のへらは、図５に示すように、カッター２１を下部に備えた容器２２の開口部２３を覆う蓋２４のほぼ中央に設けた小開口部２５より、斜め方向に攪拌枠２６を挿入することにより、蓋２４を開けることなく、容器２２の内壁に付着した材料を落とすことができるものであった。また、調理物の攪拌がうまくできないときに、攪拌を補助するものであった。
（例えば、特許文献１参照）
【先行技術文献】
【特許文献】
【０００３】
【特許文献１】実開昭６２−２０２２４４号公報
【発明の概要】
【発明が解決しようとする課題】
【０００４】
近年、ほうれん草や小松菜などの葉野菜がベースとなるレシピを、ミキサーを使用してつくるというグリーンスムージーが流行し、新たな健康ブームとなっている。
【０００５】
しかしながら、前記従来の構成では、葉野菜が比較的多く入っているレシピの場合、葉野菜が容器の上部でつっかえて留まることにより、カッターが空回りして、攪拌がうまくできないことがあり、へらを使用して撹拌を補助しようとしたときに、へらが葉野菜を突き刺してしまい、葉野菜の押し込みや撹拌がうまくできず、カッターの空回りを解消できないことがわかった。
【０００６】
本発明は、前記課題を解決するもので、葉野菜が多いレシピでも、蓋を開けることなくカッターの空回りを解消する電動調理器で使用する撹拌用のへらを提供することを目的とする。
【課題を解決するための手段】
【０００７】
前記課題を解決するために、本発明の電動調理器のへらは、へらの先端の扁平部の一方の面にリブを設け、前記扁平部の断面形状を略Ｔ字としたものである。
【０００８】
これによって、葉野菜の突き刺しに対する抵抗が増え、葉野菜を突き刺さずに済むので、葉野菜の押し込みや撹拌が可能になり、葉野菜がカッターに当たり、カッターの空回りを解消することができる。
【０００９】
請求項１に記載の発明は、容器の開口部を覆う蓋の中央に設けた小開口部に挿入され、かつ前記容器の内壁に付着した材料を落とす先端形状が扁平になっており、前記へらの先端の扁平部の一方の面にリブを設け、前記扁平部の断面形状を略Ｔ字とした電動調理器のへらである。
【００１０】
請求項２に記載の発明は、前記扁平部の他方の面の先端に、前記内壁に付着した材料を掻き出すときに、前記容器とへらとの隙間からの材料の漏れ出しを低減するための第２のリブを設けた請求項１記載の電動調理器のへらである。
【００１１】
請求項３に記載の発明は、内部にカッターを搭載した容器と、当該容器の上部開口部分を覆う蓋と、を有する電動調理器であり、前記蓋は、へらを挿入可能な開口部を有し、当該開口部はへらが挿入可能な十字穴である電動調理器である。
【発明の効果】
【００１２】
本発明の電動調理器のへらは、葉野菜が多いレシピでも、蓋を開けることなくカッターの空回りを解消することができる。
【図面の簡単な説明】
【００１３】
【図１】本発明の実施の形態１における電動調理器の断面図
【図２】同電動調理器のへらの斜視図
【図３】同電動調理器のへらの斜視図
【図４】同電動調理器の蓋の斜視図
【図５】従来の電動調理器の断面図
【発明を実施するための形態】
【００１４】
第１の発明は、容器の開口部を覆う蓋の中央に設けた小開口部に挿入され、かつ前記容器の内壁に付着した材料を落とす先端形状が薄く扁平になっているへらにおいて、へらの先端の扁平部の一方の面にリブを設け、前記扁平部の断面形状を略Ｔ字とすることにより、葉野菜を突き刺しに対する抵抗が増え、葉野菜を突き刺さずに済むので、葉野菜の押し込みや撹拌が可能になり、葉野菜がカッターに当たり、カッターの空回りを解消することができる。
【００１５】
第２の発明は、第１の発明に加え、扁平部の他方の面の先端に第２のリブを設けることにより、内壁に付着した材料を掻き出すときに、容器とへらとの隙間からの材料の漏れ出しを低減することができる。
【００１６】
第３の発明は、蓋の小開口部はへらが挿入可能な十字穴とすることにより、へらの蓋への挿入はどの位置でも自由になり、使い勝手がよく、へらがないときの調理物の飛び出しを最小限に抑えることができる。
【００１７】
以下、本発明の実施の形態について、図面を参照しながら説明する。なお、この実施の形態が本発明を限定されるものではない。
【００１８】
（実施の形態１）
図１は、本発明の第１の実施の形態における電動調理器の断面図である。図２〜４は同電動調理器のへらや蓋の斜視図である。
【００１９】
図１〜図３において、モータ（図示せず）により回転駆動されるカッター１を内蔵した容器２の上端の開口部３は蓋４により覆われている。蓋４の中央に小開口部５が形成されており、この小開口部５にはへら６を上下斜め方向に自在に挿入可能となっている。へら６の先端は容器２の内壁との接触面を大きくするために薄い扁平部７を有しており、容器２の内壁に付着した材料を落としやすいようになっている。
【００２０】
また、扁平部７の一方の面にリブ８を設け、扁平部７の断面形状を略Ｔ字とし、他方の面の先端に、容器２の内壁の半径に沿う第２のリブ９を設けている。
【００２１】
より具体的には、図２に示すように、リブ８は扁平部７の表面の中心線から垂直上方に突出しており、また、リブ８の先端部分（へら６の先端部分）から後方（後述するストッパー部１１が存在する方向）に向けて徐々に下り勾配となっている。また、この勾配の頂上、即ちリブ８の先端部分は曲線となっている。
【００２２】
一方、第２のリブ９は、リブ８が存在する扁平部７の面に対して裏面側に位置し、更に、この第２のリブ９は、扁平部７の先端から扁平部７表面に対して垂直上方に向け、略弓状に突出した形状となっている。
【００２３】
ここで、へら６の全体構成について簡単に説明を加えておく。へら６は先端から順に扁平部７、軸部１０、ストッパー部１１、持ち部手１２からなる。ストッパー部１１はへら６を蓋４にセットしたときに、へら６がカッター１に接触しないようになっており、小開口部５を覆うことにより、調理物が飛び出すのを防ぐようになっている。ストッパー１１と扁平部７は軸部１０で接続され、持ち手部１２を手で持って操作できるようになっている。
【００２４】
図１を見ても明らかなように、ストッパー部１１が蓋４に当接する状態では、軸部１０と扁平部７との合計の長さが、蓋４からカッター１までの長さより短くなっている。このため、へら６を蓋４にセットした際にへら６の先端がカッター１まで届かない。
【００２５】
また、図４を見ても明らかなように、蓋４の小開口部５は、へら６が挿入可能な必要最小かつ対称形状の十字穴としている。このように、図４の上面から見て上下或いは左右対称な十字形状の穴とすることにより、へら６をどの方向から挿入しようとしてもスムーズに挿入可能にしている。また、へら６を小開口部５に挿入する際に、へら６と小開口部５との間の隙間が必要最小、例えば、０．５〜１ｍｍといった幅になるようにすると良い。尚、この幅はこの値に限定されるものではなく、適宜変更することが可能である。
【００２６】
以上のように構成された電動調理器について、以下にその動作、作用を説明する。
【００２７】
まず、ミキサーで葉野菜が比較的多く入っているレシピを調理する場合で説明する。葉野菜が多いレシピで、ミキサーを用いてジュースを作ろうとした場合、容器２の上部では葉野菜がつっかえて留まりやすくなっている。
【００２８】
このような場合には、カッターが空回りすることがあり、葉野菜の裁断と攪拌ができない。その際には、ユーザが本発明のへら６を使用することにより、葉野菜の攪拌を行うことが可能となる。
【００２９】
より具体的には、ユーザがへら６を使用して撹拌を補助する際、リブ８が設けられているために、葉野菜の突き刺しに対する抵抗が増え、葉野菜を突き刺さずに済むので、葉野菜の押し込みや撹拌が可能になり、葉野菜がカッターに当たり、カッターの空回りを解消することができる。
【００３０】
また、容器２の内壁の半径に沿うように第２のリブ９を設けることにより、内壁に付着した材料を掻き出すときに、容器２とへら６との隙間からの材料の漏れ出しを低減することができる。
【００３１】
また、蓋４の小開口部５はへら６が挿入可能な必要最小かつ対称形状の十字穴とすることにより、へら６の蓋４への挿入はどの位置でも自由になり、使い勝手がよく、へら６がないときの調理物の飛び出しを最小限に抑えることができる。
【００３２】
以上のように、本実施の形態においては、葉野菜が多いレシピでも、蓋を開けることなくカッターの空回りを解消することができる。
【産業上の利用可能性】
【００３３】
以上のように、本発明にかかる電動調理器のへらは、蓋を開けることなくカッターの空回りを解消しようとする他の応用にも適用できる。
【符号の説明】
【００３４】
２  容器
３  開口部
４  蓋
５  小開口部
６  へら
７  扁平部
８  リブ
９  第２のリブ
【図１】
2014136046.tif 000003
【図２】
2014136046.tif 000004
【図３】
2014136046.tif 000005
【図４】
2014136046.tif 000006
【図５】
2014136046.tif 000007